(57)【要約】【課題】送信中のデータ送信の残時間が判断基準と比べて長い場合には、無条件で割込み送信を実行する割込み送信機能を有するデータ通信装置があるが、この場合、送信中のデータ送信の終了が大きく遅延するという問題があった。【解決手段】第１のデータ送信の送信途中に、宛先の異なる第２のデータ送信を割込ませる割込み送信機能を有するデータ通信装置において、第１のデータ送信が終了するまでの残り送信時間を算出する送信残時間算出部２９と、第２のデータ送信の送信時間である割込み送信時間を算出する送信時間算出部３０と、残り送信時間と割込み送信時間を比較して、割込み送信による第２のデータ送信の実施の可否を判定する割込割合判定部３２とを備える。【選択図】図３
2014168161.tif 000002
【特許請求の範囲】
【請求項１】
第１のデータ送信の送信途中に、宛先の異なる第２のデータ送信を割込ませる割込み送信機能を有するデータ通信装置において、
前記第１のデータ送信が終了するまでの残り送信時間を算出する残り送信時間算出手段と、
前記第２のデータ送信の送信時間である割込み送信時間を算出する割込み送信時間算出手段と、
前記残り送信時間と前記割込み送信時間を比較して、前記割込み送信による前記第２のデータ送信の実施の可否を判定する割込み送信判定手段と
を有することを特徴とするデータ通信装置。
【請求項２】
第１のデータ送信の送信途中に、宛先の異なる第２のデータ送信を割込ませる割込み送信機能を有するデータ通信装置において、
前記第１のデータ送信が終了するまでの残り送信時間を算出する残り送信時間算出手段と、
前記第２のデータ送信の送信時間である割込み送信時間を算出する割込み送信時間算出手段と、
前記第１のデータ送信の送信完了予定時刻を設定する送信完了時刻設定手段を備え、
現在時刻に前記残り送信時間と前記割込み送信時間を加算した時刻と、前記送信完了時刻とを比較して、前記割込み送信による前記第２のデータ送信の実施の可否を判定する割込み送信判定手段と
を有することを特徴とするデータ通信装置。
【請求項３】
前記第１のデータ送信が、割込み送信によって中断された時間を集計した累積中断時間を生成する中断時間計測手段を備え、
前記割込み送信判定手段は、前記割込み送信時間に前記累積中断時間を加算した時間と前記残り送信時間とを比較することを特徴とする請求項１記載のデータ通信装置。
【請求項４】
前記割込み送信時間算出手段は、予め定められた伝送速度と前記第２のデータ送信のデータサイズを用いて前記割込み送信時間を算出することを特徴する請求項１乃至３の何れかに記載のデータ送信装置。
【請求項５】
前記割込み送信時間算出手段は、送信宛先毎に記憶された受信側データ通信装置の伝送速度と前記第２のデータ送信のデータサイズを用いて前記割込み送信時間を算出することを特徴とする請求項１乃至３の何れかに記載のデータ送信装置。
【請求項６】
前記割込み送信時間算出手段は、過去に実行されたデータ送信の伝送速度の平均値と前記第２のデータ送信のデータサイズを用いて前記割込み送信時間を算出することを特徴とする請求項１乃至３の何れかに記載のデータ送信装置。
【発明の詳細な説明】
【技術分野】
【０００１】
本発明はデータ通信装置に関し、特にデータ送信中に、宛先の異なる別のデータ送信を割込ませる割込み送信機能を有するデータ通信装置に関する。
【背景技術】
【０００２】
従来、この種のデータ送信装置として、データ送信中に、別のデータ送信を割込ませるか否かの判断が、送信中のデータ送信の残り時間を考慮してなされるものがあった（例えば、特許文献１参照）。
【先行技術文献】
【特許文献】
【０００３】
【特許文献１】特開平１０−１５５０６７号公報（第１２頁、図３４）
【発明の概要】
【発明が解決しようとする課題】
【０００４】
しかしながら、上記構成の装置では、送信中のデータ送信の残時間が判断基準と比べて長い場合には、無条件で割込み送信が行われるため、場合によっては送信中のデータ送信の終了が大きく遅延するという問題があった。
【課題を解決するための手段】
【０００５】
本発明によるデータ通信装置は、
第１のデータ送信の送信途中に、宛先の異なる第２のデータ送信を割込ませる割込み送信機能を有するデータ通信装置において、
前記第１のデータ送信が終了するまでの残り送信時間を算出する残り送信時間算出手段と、前記第２のデータ送信の送信時間である割込み送信時間を算出する割込み送信時間算出手段と、前記残り送信時間と前記割込み送信時間を比較して、前記割込み送信による前記第２のデータ送信の実施の可否を判定する割込み送信判定手段と
を有することを特徴とする。
【０００６】
本発明による別のデータ通信装置は、
第１のデータ送信の送信途中に、宛先の異なる第２のデータ送信を割込ませる割込み送信機能を有するデータ通信装置において、
前記第１のデータ送信が終了するまでの残り送信時間を算出する残り送信時間算出手段と、前記第２のデータ送信の送信時間である割込み送信時間を算出する割込み送信時間算出手段と、前記第１のデータ送信の送信完了予定時刻を設定する送信完了時刻設定手段を備え、現在時刻に前記残り送信時間と前記割込み送信時間を加算した時刻と、前記送信完了時刻とを比較して、前記割込み送信による前記第２のデータ送信の実施の可否を判定する割込み送信判定手段と
を有することを特徴とする。
【発明の効果】
【０００７】
本発明によれば、送信中のデータ送信の残り送信時間と割込み送信を行う際の割込み送信時間とに基づいて割込み送信の可否を判定するため、送信中のデータ送信の終了が大きく遅延するのを防止することが可能となる。
【図面の簡単な説明】
【０００８】
【図１】本発明による実施の形態１のファクシミリ装置を採用した通信網の要部構成を概略的に示す概略構成図である。
【図２】本発明による実施の形態１のファクシミリ装置の要部構成図である。
【図３】実施の形態１のファクシミリ装置において、ＲＯＭにプログラムとして含まれ、ＣＰＵによって実行されるソフトウェアを、処理機能別にブロック分けした制御部のブロック図である。
【図４】実施の形態１におけるファクシミリ装置の通信ジョブ管理部によって管理される送信ジョブ情報の構成図である。
【図５】実施の形態１におけるファクシミリ装置のシステム制御部によって管理される通信パラメータ情報の構成図である。
【図６】実施の形態１におけるファクシミリ装置のシステム制御部によって管理される短縮ダイヤル情報の構成図である。
【図７】実施の形態１におけるファクシミリ装置の通信ジョブ管理部により管理される送信頁情報の構成図である。
【図８】実施の形態１によるファクシミリ装置において、割込許可判定値を設定する操作手順の説明に伴う動作説明図である。
【図９】ファクシミリ装置において、第１の送信の送信中に別の第２の送信のための割込み要求が行われ、第２の送信の割り込みが許可される場合のタイミングチャートである。
【図１０】ファクシミリ装置において、第１の送信の送信中に第２の送信のための割込み要求が行われ、第２の送信の割り込みが許可されない場合のタイミングチャートである。
【図１１】実施の形態１のファクシミリ装置の制御部によって実行される処理の流れを示すフローチャートである。
【図１２】実施の形態２のファクシミリ装置において、ＲＯＭにプログラムとして含まれ、ＣＰＵによって実行されるソフトウェアを、処理機能別にブロック分けした制御部のブロック図である。
【図１３】実施の形態２におけるファクシミリ装置の通信ジョブ管理部により管理される送信ジョブ情報の構成図である。
【図１４】実施の形態２によるファクシミリ装置において、送信完了予定時刻を設定する送信要求の操作手順の説明に伴う動作説明図である。
【図１５】実施の形態２のファクシミリ装置の制御部によって実行される処理の流れを示すフローチャートである。
【発明を実施するための形態】
【０００９】
実施の形態１．
図１は、本発明による実施の形態１のファクシミリ装置を採用した通信網の要部構成を概略的に示す概略構成図である。
【００１０】
同図中、データ通信装置としてのファクシミリ装置１００は、本発明による送信側ファクシミリ装置である。交換回線網１は、加入電話回線交換網で、末端に音声端末をつなぎ、回線交換方式で相手に接続して音声データを授受し、ファクシミリ通信などのデータ通信を行う場合は、モデムを介してデータ列と音声信号の相互交換を行う。回線２、回線３、及び回線４は、電話回線であり、加入電話回線交換網と端末を電気的に接続するケーブルであり、ファクシミリ装置５及びファクシミリ装置６は、ここでは、受信側ファクシミリ装置である。
【００１１】
従って図１に示す通信網は、ファクシミリ装置１００から交換回線網１を介して、ファクシミリ装置５又はファクシミリ装置６へファクシミリ画像データを送る利用形態を示している。
【００１２】
図２は、本発明による実施の形態１のファクシミリ装置１００の要部構成図である。
【００１３】
同図に示すように、ファクシミリ装置１００は、ＣＰＵ１０、システムバス１１、ＲＯＭ１２、ＲＡＭ１３、読取装置１４、印刷装置１５、通信装置１６、回線２、及び操作表示装置１７を備える。ＣＰＵ１０は、中央処理装置であり、システムバス１１を介して、ファクシミリ装置１００を構成するハードウェアを制御するほか、後述するソフトウェアを実行する。ＲＯＭ１２は、記憶装置であり、ＣＰＵ１０によって実行されるソフトウェアであるプログラムを予め格納する。ソフトウェアの内容については後述する。ＲＡＭ１３は、記憶装置であり、ＣＰＵ１０によるプログラムの実行時に発生するデータを記憶する。
【００１４】
読取装置１４は、ＣＣＤなどを利用したスキャナ装置であり、原稿を読取ってドットイメージデータに変換し、印刷装置１５は、感熱記録方式、電子写真方式などのプリンタ装置であり、ファクシミリ通信で受信した画データなどをハードコピーとして出力する。通信装置１６は、モデム（変復調装置）やＮＣＵ（網制御装置）などにより構成され、ファクシミリ伝送制御手順による手順データや画データを変復調し、相手先のファクシミリ装置間とデータを授受する。また、交換回線網１との接続及び、開放を制御する。
【００１５】
回線２は、電話回線であり、加入電話回線交換網である交換回線網１に接続される。操作表示装置１７は、ファクシミリ装置１００の状態を示す表示装置（液晶表示装置など）、音響装置（スピーカーなど）、及び操作に必要な数字キー（テンキー）、スタートキー、ファンクションキー、カーソルキーなどを備える。
【００１６】
図３は、ＲＯＭ１２にプログラムとして含まれ、ＣＰＵ１０によって実行されるソフトウェアを、処理機能別にブロック分けした制御部２０のブロック図である。
【００１７】
同図中、システム制御部２１は、システム内における各資源の管理を行い、後述する制御プログラムの起動や調停を行う。操作表示制御部２２は、操作表示装置１７（図２）を制御し、ユーザとのユーザインターフェイスを実行する。読取制御部２３は、読取装置１４（図２）を制御し、原稿の読み取りに関する一連の動作を実行する。印刷制御部２４は、印刷装置１５（図２）を制御し、ファクシミリ受信画やファクシミリ装置に関する各種帳票類を印刷する一連の動作を実行する。画像データ処理部２５は、ファクシミリ符号化データの圧縮や伸長の処理を実行する。通信制御部２６は、通信装置１６（図２）を制御し、交換回線網と接続し、ファクシミリ伝送制御手順、及び画データの授受を実行する。
【００１８】
通信ジョブ管理部２７は、操作表示装置１７を介して、ユーザの操作により指示されたファクシミリ通信、及び相手側ファクシミリ装置により発生したファクシミリ呼の到来に応じて行われるファクシミリ通信の管理、又は実行するための通信ジョブの生成／抹消及び管理、更に通信ジョブを実行するための、プログラムの起動や調停を行う。
【００１９】
レポート作成部２８は、ファクシミリ装置１００に関する各種帳票類を作成する。残り送信時間算出手段としての送信残時間算出部２９は、送信中の送信ジョブにおける通信終了までの残送信時間を、残送信データサイズ、残送信枚数、及び伝送速度から算出する計算処理を実行する。割込み送信時間算出手段としての送信時間算出部３０は、送信開始前の送信ジョブにおける通信開始から通信終了までの予測送信時間を送信データサイズ、送信枚数、予測伝送速度から算出する計算処理を実行する。中断時間計測手段としての中断時間計測部３１は、割込み送信処理を実行するため送信処理が一時中断され、割込み送信処理が終了し、その後一時中断していた送信処理が再開されるまでの送信を中断していた時問の計測処理、及び計測結果を記憶エリアへ保持する処理を実行する。
【００２０】
割込み送信判定手段としての割込割合判定部３２は、送信残時間算出部２９で算出した残送信時間と、送信時間算出部３０で算出した割込み送信の予測送信時間とを考慮して割込み送信の可否を判定する判定処理を実行する。割込通信制御部３３は、操作表示制御部２２を介して、操作表示装置１７（図２）よりユーザ操作により入力された割込み送信指示を監視し、割込み送信指示を検出した場合には、一連の割込み送信のための各処理の起動や調停を行う。
【００２１】
図４は、本実施の形態におけるファクシミリ装置１００の通信ジョブ管理部２７（図３）によって管理される送信ジョブ情報４０の構成図である。送信ジョブ情報４０は、ＲＡＭ１３に含まれ、制御部２０のプログラムにより利用されるデータであり、通信ジョブ管理部２７により送信ジョブ毎に作成される。尚、図４の送信ジョブ情報４０の各ブロックの名称は、これらの各ブロックに対応してＲＡＭ１３に割り当てられた記憶エリアに格納されるデータを示すものとして説明する。
【００２２】
同図中、送信ジョブ状態４１は、通信ジョブの状態を表す情報であり、例えば、即時発呼待ち状態、通信中状態、一時中断中状態、リダイヤル待ち状態などの情報である。通信種別４２は、当該ファクシミリ通信の送信種別情報である。例えは、手動送信、自動送信、時刻指定送信、親展送信、ポーリング送信、割込み指示送信など、通信サービスの種類を含む情報が格納される。通信開始時刻４３は、送信開始時刻が必要となる時刻指定送信やリダイヤル待ち状態でのみ有効となる情報、即ち発呼予定時刻である。相手先電話番号４４は、相手先の電話番号情報である。
【００２３】
リダイヤル回数４５は、通信終了時に通信ジョブ管理部２７において再発呼送信が必要と判断された場合にインクリメントされるリダイヤル回数情報であり、通信ジョブ生成時は０回に設定されている。通信ジョブ管理部２７は、本データを元に、再発呼送信の試行回数到達の判断を実施する。通信結果情報４６は、通信制御部２６（図３）にて実行されたファクシミリ通信の結果情報であり、ファクシミリ通信の終了時に通信ジョブ管理部２７により本情報が参照され、通信ジョブの後処理が実行される。
【００２４】
送信頁情報４７は、ファクシミリ通信にて送信される頁毎の画データ情報の配列データであり、ファクシミリ符号化により圧縮された送信画データ、及び画データのファクシミリ符号化情報、解像度情報、頁番号情報などが含まれる。送信済頁情報４８は、通信制御部２６にて実行中のファクシミリ伝送手順で送信済みとなった頁情報である。
【００２５】
通信速度情報４９は、通信開始前の予測伝送速度、又は通信中の伝送速度を示す情報であり、通信ジョブ管理部２７にて、先ず送信ジョブ生成時に装置情報や宛先情報などを参照して予測伝送速度として設定される。その後、通信が開始され、受信ファクシミリ装置との能力ネゴシエーションで決定した伝送速度に更新される。ここでいう伝送速度は、ファクシミリ通信における画像データ伝送フェーズで使用される伝送速度を意味しており、単位時間あたりの送信ビット数（ｂｉｔ／秒）で表わされる。また、送信ジョブ状態４１の値により予測伝送速度と通信中の伝送速度とを判別できる。
【００２６】
送信中断開始時刻５０は、中断時間計測部３１（図３）により設定及び参照される情報で、送信動作の一時中断処理が開始された時刻である。累積中断時間５１は、割込通信制御部３３（図３）により設定され、割込可否判定部３５（図３）により参照される情報で、送信ジョブが生成されてから通信が終了するまでの間に、割込み送信により送信処理が一時中断された中断時間を累積した時間である。
【００２７】
図５は、本実施の形態におけるファクシミリ装置１００のシステム制御部２１（図３）によって管理される通信パラメータ情報６０の構成図である。通信パラメータ情報６０は、ＲＡＭ１３に含まれ、制御部２０のプログラムにより利用されるデータであり、操作表示装置１７を介して、ユーザの操作により設定及び変更が可能なデータと、システム制御部２１により通信終了時に設定又は更新されるデータである。尚、図５の通信パラメータ情報６０の各ブロックの名称は、これらの各ブロックに対応してＲＡＭ１３に割り当てられた記憶エリアに格納されるデータを示すものとして説明する。
【００２８】
同図中、設定送信速度６１は、ファクシミリ装置１００の最高送信能力として使用される伝送速度であり、ユーザの操作による設定及び変更が可能である。設定受信速度６２は、ファクシミリ装置１００の最高受信能力として使用される伝送速度であり、ユーザの操作による設定及び変更が可能である。
【００２９】
平均送信速度６３は、システム制御部２１によりファクシミリ送信の終了毎に使用された伝送速度情報に基づいて算出された平均送信速度である。但し、ファクシミリ装置１００の初回起動時には初期値として設定送信速度６１と同じ値に設定される。平均受信速度６４は、システム制御部２１によりファクシミリ受信の終了毎に使用された伝送速度情報に基づいて算出された平均受信速度である。但し、ファクシミリ装置１００の初回起動時には初期値として設定受信速度６２と同じ値に設定される。
【００３０】
割込許可判定値６５は、割込割合判定部３２により参照され、割込み送信を許可するか否かの判定基準として使用されるデータであり、本実施の形態では、残送信時間［秒］に対する割込送信時間［秒］の比とする。計算式は、
割込許可判定値［％］＝割込送信時間÷残送信時間×１００      （１）
である。ここでは、デフォルト値を５０％とする。また、本設定値は、ユーザの操作により設定及び変更が可能である。
【００３１】
図６は、本実施の形態におけるファクシミリ装置１００のシステム制御部２１によって管理される短縮ダイヤル情報７０の構成図である。短縮ダイヤル情報７０は、ＲＡＭ１３に含まれ、制御部２０のプログラムにより利用されるデータであり、操作表示装置１７を介して、ユーザの操作により設定及び変更が可能である。また、短縮ダイヤル情報７０は、装置仕様として規定されている短縮ダイヤルの記憶数と同じ個数、Ａ１番〜Ａｎ番まである。各構成は共通であるあるため、Ａ１番の短縮ダイヤル情報を例にして構成を説明する。
【００３２】
短縮ダイヤル番号７１は、短縮ダイヤル番号であり、宛先名称７２は、短縮ダイヤルに記憶させる相手先の名称であり、ユーザ操作により設定及び変更が可能である。宛先電話番号７３は、短縮ダイヤルに記憶させる相手先の電話番号であり、ユーザ操作により設定及び変更が可能である。宛先伝送速度７４は、相手先のファクシミリ装置との通信において使用された伝送速度を記憶するデータであり、短縮ダイヤルを使用した通信の終了時に通信制御部２６により設定又は更新される。但し、ユーザによる短縮ダイヤルの編集時には、初期値として設定送信速度６１の値が設定される。
【００３３】
図７は、本実施の形態におけるファクシミリ装置１００の通信ジョブ管理部２７により管理される送信頁情報４７（図４）の構成図である。送信頁情報４７は、ＲＡＭ１３に含まれ、制御部２０のプログラムにより利用されるデータであり、通信ジョブ管理部２７により送信頁毎に生成され、読取制御部２３及び画像データ処理部２５の実行結果を含む。従って、送信頁数ｍの場合、同図に示すようにＢ１番〜Ｂｍ番まであり、各構成は共通であるあるため、ここではＢ１番の送信頁情報を例にして構成を説明する。
【００３４】
画データ８１は、ファクシミリ通信にて送信される画データ情報であり、ファクシミリ符号化により圧縮された送信画データである。符号化情報８２は、画データ８１で使用されているファクシミリ符号化情報であり、ＭＨ／ＭＲ／ＭＭＲ／ＪＢＩＧなどのファクシミリ通信で使用される符号化方式を示す値が設定される。解像度情報８３は、画データ８１の解像度情報であり、標準（Ｒ８×３．８５  ｌｉｎｅ／ｍｍ）／精細（Ｒ８×７．７  ｌｉｎｅ／ｍｍ）／高精細（Ｒ８×１５．４  ｌｉｎｅ／ｍｍ）などのファクシミリ通信で使用される解像度を示す値が設定される。
【００３５】
頁番号情報８４は、ファクシミリ送信における送信原稿の送信順序を示す頁番号が設定される。全データサイズ８５は、送信頁情報４７の該当する１頁分のファクシミリ符号化データのサイズであり、設定されるデータの単位は、バイトである。送信済データサイズ８６は、通信制御部２６にてファクシミリ伝送手順を使用して受信側ファクシミリ装置へ送信が行われたファクシミリ符号化データのサイズを示している。この情報は、ファクシミリ送信毎に通信制御部２６にて適宜、更新される。
【００３６】
次頁情報８７は、送信頁情報４７にて管理されている、送信頁に続く別の送信頁が有る場合は、次頁の送信頁情報のメモリアドレスなどリンク情報が格納され、続く送信頁が無い場合は、次頁の送信頁情報が無い事を示すメモリアドレス（一般的には、メモリエリアの先頭を意味する０番地）が格納される。
【００３７】
図８は、本実施の形態によるファクシミリ装置１００において、割込許可判定値６５（図５）を設定する操作手順の説明に伴う動作説明図である。次に、同図を参照しながら、割込許可判定値６５を設定する操作手順について説明する。尚、ここでの説明で使用する表示装置及び各種キーは、全て操作表示装置１７に配置されているものとする。
【００３８】
機能設定画面９１は、通常待機画面において、ユーザの操作により設定キーを押すことで表示され、この機能設定画面９１において、カーソルキーを操作して「ファックス機能」を選択し、決定キーを押すことで画面がファックス機能画面９２へ遷移する。このファクス機能画面９２において、カーソルキーを操作して「デフォルト設定」を選択し、決定キーを押すことで画面がデフォルト設定画面９３へ遷移する。
【００３９】
このデフォルト設定画面９３において、カーソルキーを操作して「割込み許可判定値」を選択し、決定キーを押すことで画面が割込み許可判定値設定画面９４へ遷移し、この許可判定値設定画面９４において、テンキーを使用して割込み許可判定値を入力する。本実施の形態では設定可能範囲を１〜９９とし、ここでは５０％から５５％に変更するものとする。このためテンキーにより５５％に設定し、決定キーを押すことで割込み許可判定値が確定し、画面が再びデフォルト設定画面９５へ遷移する。ここでは、割込み許可判定値が５５％に変更されている。
【００４０】
この割込み許可判定値変更後のデフォルト設定画面９５において、戻るキーを押すことで画面がファックス機能画面９６に遷移し、このファックス機能画面９６において戻るキーを押すことで画面が機能設定画面９７に遷移し、更にこの機能設定画面９７で戻るキーを押すことで画面が通常待機画面へ遷移する。
【００４１】
以上の構成において、本実施の形態のファクシミリ装置１００の動作について説明する。
【００４２】
図９は、本実施の形態のファクシミリ装置１００において、第１のデータ送信に相当する第１の送信の送信中に、宛先の異なる第２のデータ送信に相当する第２の送信のための割込み要求が行われ、第２の送信の割り込みが許可される場合のタイミングチャートである。このタイミングチャートを参照しながら、割り込みが許可される場合の処理内容ついて説明する。尚、このタイミングチャートは、左から右へ向かって時間が経過する過程で生じた、ユーザによる操作と、原稿読取処理及び通信処理の時間的な関係を示している。
【００４３】
操作（１）１０１は、第１の送信のためにユーザによって行われる操作に相当し、読取装置１４（図２）への送信原稿のセット、操作表示装置１７（図２）を介しての、宛先指定、解像度指定、通信サービスの各指定などが順次行われ、これら一連の操作の最後にユーザによる決定操作が実行されることにより本操作が終了する。
【００４４】
読取処理（１）１０２は、第１の送信のための原稿読取処理に相当し、操作（１）１０１の終了を契機に開始され、操作（１）１０１での指定内容に従って、頁単位に以下の読取処理が繰り返される。読取制御部２３（図３）によって送信頁情報４７（図４）が生成され、読取装置１４により送信原稿１頁分のドットイメージデータ化が実行され、画像データ処理部２５にてファクシミリ符号化データへの変換が行われた後、変換されたデータが送信頁情報４７の画データ８１（図７）として保存される。全ての送信原稿に対して読取処理が終了すると本処理は終了する。送信処理（１−１）１０３は、第１の送信のための送信処理に相当し、読取処理（１）１０２の終了を契機に開始され、通信制御部２６（図３）にてファクシミリ伝送手順が実行される。
【００４５】
操作（２）１０４は、第２の送信のためにユーザによって行われる操作に相当し、読取装置１４（図２）への送信原稿のセット、操作表示装置１７（図２）を介しての、宛先指定、解像度指定、通信サービスの各指定などが順次行われ、更に割込み送信要求が行われる。そして操作（１）１０１と同樣に、ユーザによる決定操作が実行されることにより本操作が終了する。
【００４６】
読取処理（２）１０５は、第２の送信のための原稿読取処理に相当し、操作（２）１０４の終了を契機に開始されて読取処理（１）１０２と同様の原稿読取処理が実行される。そしてこの原稿読取処理終了後、通信ジョブ管理部２７（図２）に対して、送信中の第１の送信に対する割込み要求を行う。通信ジョブ管理部２７では、割込み要求を許可するか否かの判定処理が行われ、割込み送信が許可されると、送信処理（１−１）１０３で送信中の第１の送信を一時中断する。従って、送信処理（１−１）１０３では、第１の送信の、中断されるまでの送信処理が実行される。
【００４７】
送信処理（２）１０６は、第２の送信のための送信処理に相当し、送信処理（１−１）１０３で第１の送信が中断されたのを契機に開始され、通信制御部２６（図３）にてファクシミリ伝送手順が実行される。送信処理（１−２）１０７は、送信処理（１−１）１０３で一時中断された第１の送信の、残りの送信処理に相当し、送信処理（２）１０６での第２の送信の終了を契機に、通信制御部２６にてファクシミリ伝送手順が再開される。
【００４８】
以上のように、第１の送信の送信中に第２の送信のための割込み要求が行われ、第２の送信の割り込みが許可されると、第１の送信を一時中断して第２の送信を実行し、第２の送信が終了した段階で、再び第１の送信の残りを実行するように送信処理される。
【００４９】
図１０は、本実施の形態のファクシミリ装置１００において、第１の送信の送信中に第２の送信のための割込み要求が行われ、第２の送信の割り込みが許可されない場合のタイミングチャートである。このタイミングチャートを参照しながら、割り込みが許可されない場合の処理内容ついて説明する。尚、このタイミングチャートは、左から右へ向かって時間が経過する過程で生じた、ユーザによる操作と、原稿読取処理及び通信処理の時間的な関係を示している。
【００５０】
操作（１）１５１、読取処理（１）１５２、送信処理（１）１５３、及び操作（２）１５４については、それぞれ図９で説明した操作（１）１０１、読取処理（１）１０２、送信処理（１−１）１０３、及び操作（２）１０４と同じ操作、処理を行うため、これらのここでの説明を省略する。
【００５１】
読取処理（２）１５５は、第２の送信のための原稿読取処理に相当し、操作（２）１５４の終了を契機に開始されて読取処理（１）１５２と同様の原稿読取処理が実行される。そしてこの原稿読取処理終了後、通信ジョブ管理部２７（図２）に対して、送信中の第１の送信に対する割込み要求を行う。通信ジョブ管理部２７では、割込み要求を許可するか否かの判定処理が行われ、割込み送信が拒否されると、ここで読み取られたデータは、送信予約ジョブとして登録され、本処理を終了する。送信処理（２）１５６は、第２の送信のための送信処理に相当し、送信処理（１）での第１の送信の終了を契機に開始され、通信制御部２６（図３）にてファクシミリ伝送手順が実行される。
【００５２】
以上のように、第１の送信の送信中に第２の送信のための割込み要求が行われ、第２の送信の割り込みが拒否されると、第１の送信がすべて終了した段階で第２の送信を実行するように送信処理される。
【００５３】
図１１は、本実施の形態のファクシミリ装置１００の制御部によって実行される処理の流れを示すフローチャートである。このフローチャートを参照しながら、第１の送信の送信中に別な宛先への第２の送信の割込み送信要求が行われた場合の動作処理について更に説明する。
【００５４】
尚、このフローチャートは、制御部２０（図３）に含まれ、ユーザによる送信操作により、送信原稿の読取処理が終了し、ファクシミリ伝送手順による送信を開始する際に実行される。即ち、原稿読取処理終了後のファクシミリ送信処理について記述してある。従ってこのフローによる処理は、前記した図９タイムチャートにおいては、送信処理（１−１）１０３、送信処理（２）１０６、送信処理（１−２）１０７を実行し、前記した図１０のタイムチャートにおいては、送信処理（１）１５３に相当する。但し、送信処理（２）１５６については、後述するように、新たに別のタイミングでスタートする同内容のフローによって処理される。
【００５５】
ステップＳ１０１は、ファクシミリ装置１００が交換回線網１（図１）を介してファクシミリ装置５へファクシミリ送信（第１の送信に相当）を行うための呼接続処理であり、電話回線の補足に続き、交換回線網１に対して受信側ファクシミリ装置５の電話番号を発信する処理が終了すると本ステップが終了する。
【００５６】
ステップＳ１０２では、ステップＳ１０１の発信処理により交換回線網１がファクシミリ装置５の呼び出しを行い、その結果、ファクシミリ装置５が呼出しに応答し、ファクシミリ送信呼接続が正常に終了したか否かを判定する。ファクシミリ装置５が呼び出しに応答し、正常に終了した場合は、判定結果がＹｅｓとなりステップＳ１０３へ移行する。ファクシミリ装置５が呼び出しに応答せず、異常終了した場合は、判定結果がＮｏとなり通信結果情報４６（図４）へ呼接続失敗を示す値を格納し、ステップＳ１５０へ移行する。
【００５７】
ステップＳ１０３では、ファクシミリ伝送手順における能力ネゴシエーション処理を実行する。能力ネゴシエーション処理にて決定した伝送速度を通信速度情報４９（図４）へ格納すると本ステップが終了する。
ステップＳ１０４では、ファクシミリ伝送手順における１頁分のデータ送信処理を実行し、１頁分のデータ送信が終了すると本ステップが終了する。
ステップＳ１０５では、ステップＳ１０４にて送信が終了した頁番号を送信済頁情報４８（図４）へ格納すると本ステップを終了する。
【００５８】
ステップＳ１０６では、送信頁情報４７（図４）と送信済頁情報４８とを参照して送信すべき全ての頁が送信済みとなったか否かを判定する。全頁の送信が終了した場合は、判定結果がＹｅｓとなり通信結果情報４６（図４）へ送信処理正常終了を示す値を格納し、ステップＳ１５０へ移行する。全頁の送信が終了していない場合は、判定結果がＮｏとなりステップＳ１０７へ移行する。
【００５９】
ステップＳ１０７は、割込通信制御部３３（図３）にて行われ、ユーザ操作による割込み送信（第２の送信に相当し、ここでは例えばファクシミリ装置６宛ての送信とする）要求の検出状況を判定する。ユーザによる割込み送信要求が検出されていた場合は、判定結果がＹｅｓとなりステップＳ１０８へ移行する。ユーザによる割込み送信要求が検出されていない場合は、判定結果がＮｏとなり、ステップＳ１０４へ戻り、継続する頁送信が実行される。
【００６０】
ステップＳ１０８は、送信残時間算出部２９（図３）にて行われ、送信頁情報４７と送信済頁情報４８とを参照し、複数存在する未送信の送信頁情報４７の個数をカウントすることで残送信頁数を算出し、複数存在する未送信頁分の全データサイズ８５（図７）の合計値から残送信データサイズを算出する。更に、通信速度情報４９と算出した残送信頁数及び残送信データサイズを参照し、送信終了までの予測時間（以後、この時間を残送信時間と称す）を算出する。実際の計算式は、求める残送信時間をＸ１［秒］、残送信頁数をＡ、残送信データサイズをＢ［ｂｙｔｅ］、送信速度をＣ［ｂｉｔ／秒］とすると
Ｘ１＝（Ａ×２秒）＋（Ｂ×８÷Ｃ）      （２）
となる。但し、ここで使用した固定値２秒は頁間の伝送手順の時間である。
【００６１】
ステップＳ１０９は、送信時間算出部３０（図３）にて行われ、ここでは割込み送信用に生成された送信ジョブ情報４０（図４）を参照して、複数頁分存在する送信頁情報４７の個数をカウントすることでその送信頁数を算出し、複数頁分の全データサイズ８５（図７）の合計値から割込み送信用の送信データサイズを算出する。更に、通信速度情報４９と算出した送信頁数及び送信データサイズを参照し、割込み送信の予測送信時間（以後、この時間を割込送信時間と称す）を算出する。実際の計算式は、求める割込み送信時間をＹ１［秒］、送信頁数をＤ、送信データサイズをＥ［ｂｙｔｅ］、送信速度をＦ［ｂｉｔ／秒］とすると
Ｙ１＝（Ｄ×２秒）＋（Ｅ×８÷Ｆ）      （３）
となる。但し、ここで使用した固定値２秒は頁間の伝送手順の時間である。
【００６２】
尚、上式（２）の送信速度Ｃ及び上式（３）の送信速度Ｆは、共に通信速度情報４９を参照して設定されるが、この通信速度情報４９には、通信ジョブ生成時に、宛先指定方法等の違いにより、予め定められた伝送速度である設定送信速度６１（図５）、送信先毎に記憶された受信側データ通信装置の伝送速度である宛先伝送速度７４（図６）、或いは過去に実行されたデータ送信の伝送速度の平均値である平均送信速度６３（図５）等が設定されるものである。また、通信速度情報４９には、通信中の伝送速度が設定される場合があり、送信速度Ｃはこれを参照するようにしてもよい。
【００６３】
ステップＳ１１０は、割込割合判定部３２（図３）にて行われ、ステップＳ１０９にて算出した割込送信時間と実行中の送信ジョブの累積中断時間５１（図４）の足し算を行い、割込み送信を行った場合の、実行中の送信ジョブにおける中断時間（以後、この時間を総割込時間と称す）を算出し、ステップＳ１０８にて算出した残送信時間と総割込時間とを比較して、残送信時間に対する総割込送信時間の割合（以後、この割合を割込送信比と称す）を判定する。
【００６４】
割込送信比が割込許可判定値６５（図５）以下の場合は、判定結果がＹｅｓとなり割り込み送信許可と判断され、ステップＳ１１２に移行し、割込み送信処理が実行される。割込送信比が割込許可判定値６５より大きい場合は、判定結果がＮｏとなり割込み送信要求の拒否と判断され、ステップＳ１１１へ移行し、通常の送信予約処理が実行される。ここでの割込送信比の算出方法は、求める割込送信比をＺ１［％］、累積中断時間５１の値をＧ［秒］、残送信時間をＸ１［秒］、割込送信時間をＹ１［秒］とすると
Ｚ１＝（（Ｇ＋Ｙ１）÷Ｘ１）×１００      （４）
となる。
【００６５】
例えば、割込許可判定値６５の値が５０％、残送信時間３５秒、累計中断時間１０秒、割込送信時間５秒の場合、割込送信比は、約４３％（小数点以下四捨五入）となり、割込許可判定値６５より小さくなるため割込み送信が許可される。従って、割込送信時間の合計が、残送信時間における予め定められた割合以下の場合に割込み送信が許可されることになる。
【００６６】
ステップＳ１１１では、割込み送信用に生成された送信ジョブ情報の送信ジョブ状態４１（図４）に即時発呼待ち状態を設定し、送信予約ジョブとして登録し、本ステップは終了する。これにより、ユーザによる割込み送信要求は拒否され、通常の送信予約ジョブとなる。本ステップ終了後は、ステップＳ１０４に戻り、実行中の頁送信が継続される。
【００６７】
ステップＳ１１２では、実行中送信ジョブの送信ジョブ情報の送信ジョブ状態４１（図４）に一時中断状態を設定し、送信ジョブを一時中断ジョブとして登録した後、通信制御部２６（図３）に対して通信中断指示を行う。通信制御部２６にて通信中断処理が実行され、受信側ファクシミリ装置５との間で接続されていたファクシミリ送信呼が切断されたことを確認すると、本ステップが終了する。
【００６８】
ステップＳ１１３は、中断時間計測部３１にて行われ、一時中断となった第１の送信の送信中断開始時刻５０へ現在時刻を設定する。
ステップＳ１１４は、ユーザにより要求された第２の送信（ここではファクシミリ装置６への送信）の割込み送信処理であり、通信制御部２６によりファクシミリ伝送手順が実行される。この送信処理中の更なる割込み送信は認めないものとする。第２の送信処理が終了すると本ステップは終了する。
【００６９】
ステップＳ１１５は、中断時間計測部３１にて行われ、一時中断していた第１の送信の送信中断開始時刻５０と現在時刻を参照して送信中断時間を算出し、第１の送信の累積中断時間５１（図４）に算出した送信中断時間を加算する。
ステップＳ１１６は、第１の送信の送信ジョブ状態４１に即時発呼待ち状態を設定し、第１の送信を即時発呼待ちジョブとすることで本ステップを終了し、ステップＳ１０１へ戻り、中断中の第１の送信の頁送信を再開する。
【００７０】
ステップＳ１５０は、ステップＳ１０２の判定結果がＮｏとなった場合、又はステップＳ１０６の判定結果がＹｅｓとなった場合に実行される。まず、通信制御部２４にてファクシミリ伝送手順のファクシミリ送信呼切断処理が実行され、受信側ファクシミリ装置５との間で接続されていたファクシミリ送信呼が切断されたことを確認すると、実行中の送信ジョブ状態４１を通信後処理状態に設定し、通信履歴情報の登録や、レポート作成などの通信終了処理を実行して本ステップを終了する。本処理終了後、本フローチャートを終了する。
【００７１】
以上のように、第１の送信の実行中に第２の送信の割込み要求があった場合、割込み送信の割込送信比が規定値以下の場合には割り込み送信が実行され、その終了後に中断した第１の送信が再開され、一方、割込み送信の割込送信比が規定値より大きい場合には、割込み送信を行わずに第１の送信が終了した後に、予約された第２の送信が実行される。尚、このときの第２の送信は、新たにスタートした図１１のフローに基づいて行われる。
【００７２】
尚、本実施の形態では、図１１に示すフローチャートのステップＳ１１０において、割込送信比Ｚ１［％］を式（４）によって求めたが、これに限定されるものではなく、
Ｚ１＝（Ｙ１÷Ｘ１）×１００      （５）
によって求めてもよい。この場合、残送信時間Ｘ１［秒］に対する割込送信時間Ｙ１［秒］の比となるが、これによって割込み送信の可否を判定することになる。
【００７３】
以上のように、本実施の形態のファクシミリ装置１００によれば、第２の送信の割込み送信の許可判定において、送信中の第１の送信における残り送信時間と、別の宛先に対する第２の送信における予測送信時間とを判定することで、実行中の残り送信時間との比較に基づいて割込み送信の実行を制限する事が可能となり、一回の割込み送信で第１の送信の終了を大きく遅延させることがないという効果が得られる。
【００７４】
更に、複数回の割込み送信によって生じた中断時間を累積した時間を考慮することにより、割込み送信の実施回数を制限する事が可能となり、短い時間の割込み送信が複数回割込むことによる第１の送信の終了を大きく遅延させることがないという効果が得られる。
【００７５】
実施の形態２．
図１２は、本発明による実施の形態２のファクシミリ装置において、ＲＯＭ１２にプログラムとして含まれ、ＣＰＵ１０によって実行されるソフトウェアを、処理機能別にブロック分けした制御部２２０のブロック図である。
【００７６】
この制御部２２０が前記した図３に示す実施の形態１の制御部２０と主に異なる点は、予定時刻経過判定部２２１が追加され、これに関係する処理が追加された点である。従って、この制御部２２０を有するファクシミリ装置が前記した実施の形態１のファクシミリ装置１００と共通する部分には同符号を付して、或いは図面を省いて説明を省略し、異なる点を重点的に説明する。尚、本実施の形態のファクシミリ装置の要部構成は、図２に示す実施の形態１のファクシミリ装置１００の要部構成と共通するため、必要に応じて図２を参照する。
【００７７】
予定時刻経過判定部２２１は、ユーザによる送信要求時に設定された送信完了予定時刻と、送信残時間算出部２９で算出した送信終了までの予測時間である残送信時間と、送信時間算出部３０で算出した割込み送信の予測送信時間である割込送信時間とを考慮して割込み送信の可否を判定する判定処理を実行する。
【００７８】
図１３は、本実施の形態におけるファクシミリ装置の通信ジョブ管理部２７により管理される送信ジョブ情報２４０の構成図である。ここでは前記した実施の形態１で説明した送信ジョブ情報４０（図４）に対して送信完了予定時刻２４１が追加された構成となっている。この送信完了予定時刻２４１は、ユーザ操作により操作表示制御部２２を介して送信完了予定時刻が指定された場合にのみ有効な情報で、送信ジョブ生成時に時刻情報として、送信完了時刻設定手段としての通信ジョブ管理部２７によって設定される。
【００７９】
図１４は、本実施の形態によるファクシミリ装置において、送信完了予定時刻を設定する操作手順の説明に伴う動作説明図である。次に、同図を参照しながら、送信完了予定時刻を設定する操作手順について説明する。尚、ここでの説明で使用する表示装置及び各種キーは、全て操作表示装置１７（図２）に配置されているものとする。
【００８０】
宛先指定の先頭画面２５１は、オペレータの操作により、送信原稿を読取装置１４にセットすることにより表示される。この先頭画面２５１において、カーソルキーを操作して［宛先選択］を選択し、決定キーを押すことで画面が宛先選択画面２５２へ遷移する。この宛先選択画面２５２において、カーソルキーを操作して短縮ダイヤル登録されている宛先を選択後、決定キーを押下することで宛先の指定が完了し、画面が宛先指定の先頭画面２５３へ遷移する。宛先選択画面２５２において、テンキー（数字キー）を使用することで直接番号入力をすることも可能である。
【００８１】
先頭画面２５３において、送信完了時刻を指定するため、カーソルキーを操作して［応用設定］を選択し、決定キーを押すことで画面が応用設定選択画面２５４へ遷移する。この応用設定選択画面２５４において、カーソルキーを操作して［時刻指定送信］を選択し、決定キーを押すことで画面が詳細選択画面２５５へ遷移し、この詳細選択画面２５５において、カーソルキーを操作して［送信完了時刻］を選択し、決定キーを押すことで画面が機能オン／オフ選択画面２５６へ遷移する。
【００８２】
この機能オン／オフ選択画面２５６において、カーソルキーを操作して［オン］を選択し、決定キーを押すことで機能を有効として画面が日時設定画面２５７へ遷移し、日時設定画面２５７において、カーソルキーを操作して年、月、日、時、分の各項目を順次選択し、テンキーを使用して日時情報を入力して最後に決定キーを押すことで日時情報が確定し、画面が送信完了時刻指定済みの詳細選択画面２５８へ遷移する。
【００８３】
この送信完了時刻指定済みの詳細選択画面２５８において、戻るキーを押すことで画面が送信完了時刻指定済みの応用設定画面２５９へ遷移し、更にこの送信完了時刻指定済みの応用設定画面２５９において、戻るキーを押すことで画面が宛先指定のへ遷移する。この先頭画面２６０は、宛先及び送信完了時刻を指定済みの宛先指定の先頭画面であり、ここで操作表示装置１７（図２）のスタートキーを押すことで送信完了時刻を指定した送信処理を開始することができる。
【００８４】
以上の構成において、本実施の形態のファクシミリ装置の動作について説明する。
【００８５】
図１５は、本実施の形態のファクシミリ装置の制御部によって実行される処理の流れを示すフローチャートである。このフローチャートを参照しながら、予め、送信完了予定時刻が設定された第１の送信の送信中に別な宛先への第２の送信の割込み送信要求が行われた場合の動作処理について説明する。
【００８６】
尚、このフローチャートは、制御部２２０（図１２）に含まれ、ユーザによる送信操作により、送信原稿の読取処理が終了し、ファクシミリ伝送手順による送信を開始する際に実行される。即ち、原稿読取処理終了後のファクシミリ送信処理について記述してある。従ってこのフローによる処理は、前記した図９タイムチャートにおいては、送信処理（１−１）１０３、送信処理（２）１０６、送信処理（１−２）１０７を実行し、前記した図１０のタイムチャートにおいては、送信処理（１）１５３に相当する。但し、送信処理（２）１５６については、後述するように、新たに別のタイミングでスタートする同内容のフローによって処理される。
【００８７】
このフローチャートのステップＳ２０１〜ステップＳ２１６及びステップＳ２５０は、図１１に示す実施の形態１で説明したフローチャートのＳ１０１〜ステップＳ１１６及びステップＳ１５０に対応する処理を行うが、ステップＳ１１０（図１１）に対するステップＳ２１０（図１５）の処理を除いて、他の対応するステップでは全く同じ処理を行うため、ここでは、これら同じ処理を行うステップについては説明を省略し、ステップＳ２１０の処理内容を重点的に説明する。
【００８８】
ステップＳ２１０は、割込み送信判定手段としての予定時刻経過判定部２２１（図１２）で行われ、ステップＳ２０８で算出した残送信時間とステップＳ２０９で算出した割込送信時間から、これらを加算した予測時間を算出し、また、予め設定した実行中の送信ジョブの送信完了予定時刻２４１から現在時刻を減算することで送信完了予定時刻までの残時間を算出する。即ち、残送信時間をＸ１［秒］、割込み送信時間をＹ１［秒］、求める予測時間をＸ２［秒］としたとき、
Ｘ２＝Ｘ１＋Ｙ１      （５）
であり、送信完了予定時刻５２をＭ、現在時刻をＮ、求める残時間をＹ２としたとき、
Ｙ２＝Ｍ−Ｎ          （６）
である。
【００８９】
予測時間Ｘ２と残時間Ｙ２を判定し、予測時間が残時間よりも長い場合、即ち
Ｘ２＞Ｙ２              （７）
のとき、判定結果がＹｅｓとなって割込み送信拒否と判断され、ステップＳ２１１へ移行して通常の送信予約処理が実行され、予測時間が残時間以下の場合は、判定結果がＮｏとなり割込み送信許可と判断され、ステップＳ２１２へ移行し、割込み送信処理が実行される。
【００９０】
例えば、残送信時間２０秒、割込送信時間１０秒、送信完了予定時刻が午前１０時００分、現在時刻が午前９時５９分１０秒の場合、予測時間３０秒、残時間５０秒となり、上式（７）が成り立たないため判定結果は、Ｎｏとなり割込み送信は許可される。
【００９１】
以上のように、第１の送信の実行中に第２の送信の割込み要求があった場合、割込み送信が実行された場合の第１の送信の送信終了が送信完了予定時刻５２を超えない場合には割り込み送信が実行され、その終了後に中断した第１の送信が再開され、一方、割込み送信が実行された場合の第１の送信の送信終了が送信完了予定時刻５２を超える場合には、割込み送信を行わずに第１の送信が終了した後に、予約された第２の送信が実行される。尚、このときの第２の送信は、新たにスタートした図１５のフローに基づいて行われる。
【００９２】
以上のように、本実施の形態のファクシミリ装置によれば、予め、送信完了予定時刻が設定された第１の送信の送信中に、別の宛先に対する第２の送信の割込みがあった場合、第１の送信の終了時刻が、予め設定された送信完了予定時刻を超過しない範囲で第２の送信の割込みを許可することが可能になるという効果が得られる。
【産業上の利用可能性】
【００９３】
各実施の形態では、ファクシミリ装置について説明したが、本発明は、コピー機能、スキャナ機能、プリンタ機能のうちいずれか１つ以上の機能とファクシミリ機能を搭載した複合装置にも適用可能である。
【符号の説明】
【００９４】
１  交換回線網、  ２  回線、  ３  回線、  ４  回線、  ５  ファクシミリ装置、  ６  ファクシミリ装置、  １０  ＣＰＵ、  １１  システムバス、  １２  ＲＯＭ、  １３  ＲＡＭ、  １４  読取装置、  １５  印刷装置、  １６  通信装置、  １７  操作表示装置、  ２０  制御部、  ２１  システム制御部、  ２２  操作表示制御部、  ２３  読取制御部、  ２４  印刷制御部、  ２５  画像データ処理部、  ２６  通信制御部、  ２７  通信ジョブ管理部、  ２８  レポート作成部、  ２９  送信残時間算出部、  ３０  送信時間算出部、  ３１  中断時間計測部、  ３２  割込割合判定部、  ３３  割込通信制御部、  ４０  送信ジョブ情報、  ４１  送信ジョブ状態、  ４２  通信種別、  ４３  通信開始時刻、  ４４  相手先電話番号、  ４５  リダイヤル回数、  ４６  通信結果情報、  ４７  送信頁情報、  ４８  送信済頁情報、  ４９  通信速度情報、  ５０  送信中断開始時刻、  ５１  累積中断時間、  ６０  通信パラメータ情報、  ６１  設定送信速度、  ６２  設定受信速度、  ６３  平均送信速度、  ６４  平均受信速度、  ６５  割込許可判定値、  ７０  短縮ダイヤル情報、  ７１  短縮ダイヤル番号、  ７２  宛先名称、  ７３  宛先電話番号、  ７４  宛先伝送速度、  ８１  画データ、  ８２  符号化情報、  ８３  解像度情報、  ８４  頁番号情報、  ８５  全データサイズ、  ８６  送信済データサイズ、  ８７  次頁情報、  ９１  機能設定画面、  ９２  ファックス機能画面、  ９３  デフォルト設定画面、  ９４  許可判定値設定画面、  ９５  デフォルト設定画面、  ９６  ファックス機能画面、  ９７  機能設定画面、  １００  ファクシミリ装置、  ２２０  制御部、  ２２１  予定時刻経過判定部、  ２４０  送信ジョブ情報、  ２４１  送信完了予定時刻、  ２５１  先頭画面、  ２５２  宛先選択画面、  ２５３  先頭画面、  ２５４  応用設定選択画面、  ２５５  詳細選択画面、  ２５６  機能オン／オフ選択画面、  ２５７  日時設定画面、  ２５８  詳細選択画面、  ２５９  応用設定画面、  ２６０  先頭画面。
【図１】
2014168161.tif 000003
【図２】
2014168161.tif 000004
【図３】
2014168161.tif 000005
【図４】
2014168161.tif 000006
【図５】
2014168161.tif 000007
【図６】
2014168161.tif 000008
【図７】
2014168161.tif 000009
【図８】
2014168161.tif 000010
【図９】
2014168161.tif 000011
【図１０】
2014168161.tif 000012
【図１１】
2014168161.tif 000013
【図１２】
2014168161.tif 000014
【図１３】
2014168161.tif 000015
【図１４】
2014168161.tif 000016
【図１５】
2014168161.tif 000017